(57)【特許請求の範囲】
【請求項１】
通気部を有する仕切りによって廊下と区画された複数の部屋をまとめて換気するセントラル換気装置を有するセントラル換気式建物であって、
前記通気部は、各部屋と廊下との境界となる仕切りに設置される開口に設けられるドアの上方、およびこのドアの側方における仕切りに設けられ、
該セントラル換気装置は屋内外の換気を行う装置本体と、この装置本体の下面に形成されて前記廊下の空気を吸い込むために該廊下の天井に露出形成された吸気口と、一端がこの装置本体と接続され、他端が前記各部屋の排気口に接続される複数の排気用ダクトとを有し、
前記廊下及び各部屋にはそれぞれ圧力センサが設けられ、
前記通気部を介して隣り合う廊下と各部屋との圧力差を所定範囲に維持する圧力制御手段を上記装置本体に備えていることを特徴とするセントラル換気式建物。
【発明の詳細な説明】
【０００１】
【発明の属する技術分野】
本発明は、通気部を有する仕切りによって区画された複数の空間をまとめて換気するセントラル換気装置、およびこのセントラル換気装置を備えたセントラル換気式建物に関するものである。
【０００２】
【背景技術】
従来より、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
このような高気密・高断熱建物では、屋内外の空気の出入りを遮断しているため、当該建物の換気を十分に行う必要がある。
そこで、高気密・高断熱建物の換気を行うために、当該建物内における居室等の仕切られた複数の空間をまとめて換気するセントラル換気装置が利用されている（特開平１１−３４４２５３号公報等参照）。
【０００３】
このセントラル換気装置は、屋内外の換気を行う装置本体と、一端がこの装置本体と接続され、他端が各空間の吸排気口に接続される吸排気用ダクトとを備えて構成されている。
例えば、屋外からの空気を排気用ダクトを介して居室等に供給し、この居室等に溜まっていた空気を、ドアとドアが設けられる開口の周縁との隙間や、ドアに形成されている通気口等の通気部から廊下に設けられている吸気口に集め、吸気用ダクトを介して屋外に排出している。
ここで、排気口から吹き出す空気と、吸気口から吸気する空気との間に生じる風の流量（流速）は、住人等が当該風を感じることがほとんどない快適な流量（流速）に調整されている。
【０００４】
【発明が解決しようとする課題】
このようなセントラル換気装置および当該セントラル換気装置を備えた建物では、特に、ドアを介した居室と廊下との間においては、ドアとドアが設けられる開口の周縁との隙間や、ドアに形成されている通気口等の通気部等、居室から出る空気の流量が絞られる部分で圧力差が発生するため、風を感じることがほとんどない快適な流量（流速）に調整するのが難しく、これにより、風を感じて不快感を生じてしまうという問題がある。
一方、風が生じないように、例えば、吸気口から吸気する量を少なくすると、空気の流通が不十分となり、換気不良になるという問題がある。
【０００５】
本発明の目的は、風を感じて不快感を生じることがないとともに、換気を良好に行うことができるセントラル換気式建物を提供することにある。
【０００６】
【課題を解決するための手段】
本願は通気部を有する仕切りによって廊下と区画された複数の部屋をまとめて換気するセントラル換気装置を有するセントラル換気式建物であって、前記通気部は、各部屋と廊下との境界となる仕切りに設置される開口に設けられるドアの上方、およびこのドアの側方における仕切りに設けられ、該セントラル換気装置は屋内外の換気を行う装置本体と、この装置本体の下面に形成されて前記廊下の空気を吸い込むために該廊下の天井に露出形成された吸気口と、一端がこの装置本体と接続され、他端が前記各部屋の排気口に接続される複数の排気用ダクトとを有し、前記廊下及び各部屋にはそれぞれ圧力センサが設けられ、前記通気部を介して隣り合う廊下と各部屋との圧力差を所定範囲に維持する圧力制御手段を上記装置本体に備えていることを特徴とする。
【０００７】
本発明は、前記のような装置だけでなく、通気部２８を介して隣り合う空間の圧力差を所定範囲に維持する圧力制御手段６７が設けられているセントラル換気装置６を備えたセントラル換気式建物（例えば、ユニット式建物１）としても成立し、同様な作用効果が得られる。
【０００８】
【発明の実施の形態】
以下に本発明の実施の形態を図面に基づいて説明する。
図１には、本発明の一実施形態におけるユニット式建物１が示されている。
このユニット式建物１は、屋内外の空気の出入りを遮断し、室内の熱が屋外に漏れないようにし、建物の内部の空調におけるエネルギー損失を少なくするために、室内の気密性および断熱性を高くした高気密・高断熱建物である。
ユニット式建物１は、基礎２上に設けられた建物本体３と、この建物本体３上に設けられる屋根４とを備えて構成されている。
【０００９】
建物本体３は、基礎２上に並設された複数の建物ユニット１０からなる１階部３Ａと、この１階部３Ａ上に並設された複数の建物ユニット２０からなる２階部３Ｂとを含んで構成されている。
この建物本体３と屋根４との間に形成されている小屋裏空間５には、２階部３Ｂを換気するセントラル換気装置６が設けられている。
【００１０】
セントラル換気装置６は、屋内外の換気を行う装置本体６１と、一端が外壁に形成されている吸気口６２Ａおよび排気口６３Ａにそれぞれ接続され、他端が装置本体６１にそれぞれ接続されている屋外側吸気用ダクト６２および屋外側排気用ダクト６３と、一端が装置本体６１に接続され、他端が後述する排気口に接続される屋内側排気用ダクト６４とを備えて構成されている。
【００１１】
装置本体６１は、屋外から取り入れる空気、および室内から屋外へ捨てられる空気を互いに熱交換するための全熱交換機と、換気を行うために各ダクト６２〜６４に応じて設けられている送風機と、圧力制御手段６７とを備えて構成されている。全熱交換機を備えることによって、例えば、夏期であれば温度と湿度とを下げ、冬期であれば両者を上げることができるようになっている。
【００１２】
２階部３Ｂは、図２に示されるように、間仕切り壁等の仕切りに２１よって、内部が複数の空間である主寝室２２と、２つの副寝室２３、２４と、トイレ２５と、廊下２６とに区画されている。
各主寝室２２、副寝室２３、２４、トイレ２５と、廊下２６とのそれぞれ隣り合う空間の境界となる仕切り２１には、開口２１Ａが形成され、この開口２１Ａには、ドア２７が設けられている。このドア２７を開閉することで各空間を行き来できるようになっている。このドア２７、当該ドア２７と開口２１Ａの周縁との隙間、ドア２７の上方および側方の仕切り２１には、通気部２８が形成されている（図３、４）。
【００１３】
各主寝室２２、副寝室２３、２４の天井には、天井裏に配設された前述の屋内側排気用ダクト６４の他端が接続される排気口６４Ａが形成されている。
また、廊下２６の天井には、装置本体６１の下面に形成されているとともに、当該廊下２６の空気を吸い込むための吸気口６１Ａが露出している。この吸気口６１Ａで吸い込まれた空気は、全熱交換機で熱交換され、屋外側排気用ダクト６３および排気口６３Ａを介して屋外に排出されるようになっている。
つまり、セントラル換気装置６によって、各主寝室２２、副寝室２３、２４に屋外からの新しい空気を取り込み、各主寝室２２、副寝室２３、２４に溜まっていた古い空気等を廊下２６の吸気口６１Ａに集め、当該廊下２６から屋外に排出することで、空気の循環路（流通路）が形成されている。これにより、２階部３Ｂの主寝室２２と、２つの副寝室２３、２４と、廊下２６とがまとめて換気されるようになっている。
【００１４】
ここで、ドア２７が開いている場合、各主寝室２２、副寝室２３、２４に溜まっていた古い空気等は、開口２１Ａを通過して廊下２６の吸気口６１Ａに集まるようになっている。なお、ドア２７が開いている場合、ドア２７の上方および側方の仕切り２１に形成されている通気部２８からも空気が通過するが、開口２１Ａを通過する空気の量と比較すると、ほとんど無視できる量となっているため、本実施形態では考慮しない。
一方、ドア２７が閉まっている場合、図３、４に示されるように、各主寝室２２、副寝室２３、２４に溜まっていた古い空気等は、各通気部２８から廊下２６の吸気口６１Ａに集まるようになっている。
【００１５】
この際、各主寝室２２、副寝室２３、２４の排気口６４Ａから排気される空気の排気量、および廊下２６の吸気口６１Ａから吸い出される空気の吸気量は、排気口６４Ａから排気する空気と、吸気口６１Ａから吸気する空気との間、つまり、開口２１Ａ近傍に生じる風の流量（流速）が住人等が当該風を感じることがほとんどない快適な流量（流速）となるように、前述の圧力制御手段６７で制御されている。
【００１６】
この圧力制御手段６７は、各主寝室２２、副寝室２３、２４および廊下２６に配置され、図示しないケーブル等で装置本体６１に接続されている圧力センサ６５と、装置本体６１に内蔵され、圧力センサ６５からのセンサ信号に応じて送風機の送風量を制御し、各主寝室２２、副寝室２３、２４の排気口６４Ａから排気される空気の排気量、および廊下２６の吸気口６１Ａから吸い出される空気の吸気量を制御する空気量制御部６６とを備えて構成されている。
【００１７】
空気量制御部６６は、各主寝室２２、副寝室２３、２４に配置されている圧力センサ６５から得られた圧力値と、廊下２６に配置されている圧力センサ６５から得られた圧力値との差を算出し、この算出した圧力差を、設定されている所定の圧力差、または、開口２１Ａや通気部２８を流通する所定の空気の流通速度となるように、前記送風量、排気量、吸気量を制御している。
なお、空気量制御部６６は、圧力差が０．１ｈＰａ以上３０ｈＰａ以下の所定の範囲に設定されているとともに、空気の流通速度が０．５ｍ／ｓ以上５ｍ／ｓ以下の所定の範囲に設定されている。
【００１８】
これにより、ドア２７が閉まっている場合、通気部２８で、各主寝室２２、副寝室２３、２４から出る空気の流量が絞られることで、当該各主寝室２２、副寝室２３、２４と廊下２６とで圧力差が発生し、風が生じそうになっても、圧力制御手段６７によって、通気部２８に所定の空気の流通が得られ、かつ、通気部２８近傍に、人体が風を感じる程度の空気の流通が得られる圧力差に維持することができるようになっている。
【００１９】
また、各主寝室２２、副寝室２３、２４の壁には、これら各主寝室２２、副寝室２３、２４の冷房、暖房、および送風を行う空調機であるエア・コンディショナ３１が設けられている。
さらに、トイレ２５には、当該トイレ２５専用の局部強制換気装置である換気扇３２が別途設けられている。これにより、トイレ２５では、単独で排気が行われるようになっている。
【００２０】
１階部３Ａは、図５に示されるように、間仕切り壁等の仕切り１１によって、内部が複数の空間であるリビング・ダイニング・キッチン１２、和室１３、浴室１４、洗面室１５、トイレ１６、玄関１７、廊下１８に区画されている。
各リビング・ダイニング・キッチン１２、和室１３、浴室１４、洗面室１５、トイレ１６、玄関１７と、廊下１８とのそれぞれ隣り合う空間の境界となる仕切り１１には、開口１１Ａが形成され、この開口１１Ａには、ドア１９が設けられているこのドア１９を開閉することで各空間を行き来できるようになっている。このドア１９、および当該ドア１９と開口１１Ａの周縁との隙間には、２階部３Ｂと同様な通気部が形成されている（図示略）。
【００２１】
この１階部３Ａには、２階部３Ｂに設置されたものと同様のセントラル換気装置６が設けられ、当該２階部３Ｂと同様に、セントラル換気装置６で１階部３Ａが換気されている。
各リビング・ダイニング・キッチン１２、和室１３の天井には、天井裏に配設された屋内側排気用ダクト６４の他端が接続される排気口６４Ａが形成されている。
また、廊下１８の天井には、装置本体６１の下面に形成されているとともに、当該廊下１８の空気を吸い込むための吸気口６１Ａが露出している。この吸気口６１Ａで吸い込まれた空気は、全熱交換機で熱交換され、屋外側排気用ダクト６３および排気口６３Ａを介して屋外に排出されるようになっている。
【００２２】
また、各リビング・ダイニング・キッチン１２、和室１３の壁には、これら各リビング・ダイニング・キッチン１２、和室１３の冷房、暖房、および送風を行う空調機であるエア・コンディショナ３１が設けられている。
さらに、浴室１４、トイレ１６には、当該浴室１４、トイレ１６専用の局部強制換気装置である換気扇３２が別途設けられている。これにより、浴室１４、トイレ１６では、単独で排気が行われるようになっている。
【００２３】
次に、このような２階部３Ｂに設けられているセントラル換気装置６の動作手順を以下に説明する。
まず、ドア２７を開けて換気を行っている状態から、ドア２７を閉めると、通気部２８で、各主寝室２２、副寝室２３、２４から出る空気の流量が絞られることによって、当該各主寝室２２、副寝室２３、２４と廊下２６とで圧力差が発生し、風が生じそうになる。
空気量制御部６６では、各主寝室２２、副寝室２３、２４と廊下２６に配置されている圧力センサ６５で検出した圧力値から圧力差を算出し、設定されている圧力差、または圧力差に応じた流通速度と比較する。
算出した圧力差が、設定されている圧力差の範囲内にない場合や、所定の範囲から外れそうな場合には、範囲内に収まるように送風量、排気量、吸気量を制御する。
これにより、排気口６４Ａから排気する空気と、吸気口６１Ａから吸気する空気との間に生じる風の流量（流速）が住人等が当該風を感じることがほとんどない快適な流量（流速）となる。
なお、１階部３Ａに設けられているセントラル換気装置６も同様の動作手順であるので、ここでは省略する。
【００２４】
このような本実施形態によれば、次のような効果が得られる。
すなわち、セントラル換気装置６に、圧力制御手段６７を備えたので、隣り合う空間の圧力差を、風を感じることがほとんどないとともに、通気部２８に換気不良とならない、言い換えると、通気部２８に所定の空気の流通が得られ、かつ、通気部２８近傍に、人体が風を感じる程度の空気の流通が得られる圧力差に維持することができる。これにより、風を感じて不快感を生じることがないとともに、換気を良好に行うことができる。
【００２５】
なお、本発明は前記実施の形態に限定されるものではなく、本発明の目的を達成できる他の構成等を含み、以下に示すような変形等も本発明に含まれる。
例えば、空気量制御部に設定されている圧力差、および通気部を流通する空気の流通速度としては、前記実施形態の数値範囲に限らず、通気部に所定の空気の流通が得られ、かつ、通気部近傍に、人体が風を感じる程度の空気の流通が得られる数値範囲であればよく、実施に当たって適宜決めればよい。
【００２６】
また、圧力制御手段としては、前記実施形態の構成に限らず、例えば、通気部の幅寸法等を設定すると、ドアが閉まった場合に必要な送風量、排気量、吸気量を自動的に計算・制御するプログラムが記録されている制御装置でもよく、その構成は、実施に当たって適宜決めればよい。
【００２７】
【発明の効果】
以上に述べたように、本発明のセントラル換気式建物によれば、次のような効果がある。
すなわち、請求項１に記載のセントラル換気式建物によれば、例えば、セントラル換気装置の空気の吸気量および排気量を圧力制御手段によって制御することで、隣り合う空間の圧力差を、風を感じることがほとんどないとともに、通気部に換気不良とならない、言い換えると、通気部に所定の空気の流通が得られ、かつ、通気部近傍に、人体が風を感じる程度の空気の流通が得られる圧力差に維持することができる。これにより、風を感じて不快感を生じることがないとともに、換気を良好に行うことができる。
【図面の簡単な説明】
【図１】本発明の一実施形態におけるユニット式建物を示す斜視図である。
【図２】前記実施形態における２階部を示す平面図である。
【図３】前記実施形態におけるドア部分を示す拡大図である。
【図４】前記実施形態におけるドア部分を示す断面図である。
【図５】前記実施形態における１階部を示す平面図である。
【符号の説明】
１  ユニット式建物
６  セントラル換気装置
２１  仕切り
２２  主寝室
２３、２４  副寝室
２６  廊下
２８  通気部
６１  装置本体
６１Ａ  吸気口
６４  屋内側排気用ダクト
６４Ａ  排気口
６７  圧力制御手段
【図１】
0004316116.tif 000002
【図２】
0004316116.tif 000003
【図３】
0004316116.tif 000004
【図４】
0004316116.tif 000005
【図５】
0004316116.tif 000006